【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
ワイヤレス通信においてデータをアグリゲートするための方法であって、前記方法は、
ワイヤレスデバイスにおいて、第１のネットワークエンティティのセルの第１のセットの第１の１次セルを通じて前記第１のネットワークエンティティと通信するために第１の構成情報を受信することと、
セルの第２のセット中のセルを第２の１次セルとして動作させるように第２のネットワークエンティティを構成することと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信することと、
前記ワイヤレスデバイスにおいて、前記第２のネットワークエンティティのセルの第２のセットの第２の１次セルを通じて前記第２のネットワークエンティティと通信するために第２の構成情報を受信することと、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートすることとを備える、方法。
【請求項２】
前記第１のネットワークエンティティは、前記第１の１次セルを含むセルの前記第１のセットと１つ以上の２次セルの第１のセットとを動作させ、前記第２のネットワークエンティティは、前記第２の１次セルを含むセルの前記第２のセットと１つ以上の２次セルの第２のセットとを動作させる、請求項１の方法。
【請求項３】
前記第１の１次セルは、前記ワイヤレスデバイスにおいて上位レベル機能を提供するように構成され、前記上位レベル機能は、セキュリティ機能、またはネットワークへの接続機能、または初期接続機能、または無線リンク障害機能とのうちの１つ以上を含む、
あるいは、
前記第１の１次セルは、前記ワイヤレスデバイス中のエンティティにおいて上位レイヤエンティティ機能を提供するように構成され、前記エンティティは、パケットデータコンバージェンスプロトコル（ＰＤＣＰ）エンティティ、またはインターネットプロトコル（ＩＰ）エンティティ、または無線リソース制御（ＲＲＣ）エンティティとのうちの１つである、請求項２の方法。
【請求項４】
前記第２の１次セルは、１つ以上の２次セルの前記第２のセットからの任意のセルをクロスキャリア制御するように構成され、１つ以上の２次セルの前記第２のセット中の各セルは、前記第２の１次セルをクロスキャリア制御するように構成されない、請求項２の方法。
【請求項５】
前記第１の１次セルは、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることとを行うように構成され、
前記第１の１次セルは、セルの前記第１のセット中の前記セルの間で構成される共通探索空間と、セルの前記第１のセット中の前記セルの間で構成される半永続的スケジューリングとを有する、請求項１の方法。
【請求項６】
前記第２の１次セルは、前記ワイヤレスデバイス中のレイヤエンティティにおいて第２のネットワークに下位レイヤエンティティ機能を与えるように構成される、請求項１の方法。
【請求項７】
前記第１の１次セルに少なくとも部分的に基づいて前記第１のネットワークエンティティに関連する第１の経路損失を推定することと、
前記第２の１次セルに少なくとも部分的に基づいて前記第２のネットワークエンティティに関連する第２の経路損失を推定することとをさらに備える、請求項１の方法。
【請求項８】
ＲＲＣエンティティから前記第１の構成情報と前記第２の構成情報とを受信することをさらに備える、請求項１の方法。
【請求項９】
情報コンバージェンスエンティティにおいて、前記第１のネットワークエンティティと前記第２のネットワークエンティティとから受信されたデータパケットをアグリゲートすることは、前記第１のネットワークエンティティと前記第２のネットワークエンティティとの両方を通じて、サウンディング基準信号（ＳＲＳ）送信に適するベアラのデータパケットを受信することを備える、請求項１の方法。
【請求項１０】
前記第１の構成情報は前記第１の１次セルに関する電力ヘッドルーム報告情報を備え、前記第２の構成情報は前記第２の１次セルに関する電力ヘッドルーム報告情報を備える、請求項１の方法。
【請求項１１】
前記第１の構成情報は、前記第１のネットワークエンティティ上で構成されるベアラに対応し、かつ前記第１のネットワークエンティティによって動作させられるセルの前記第１のセットのコンポーネントキャリア上で前記ワイヤレスデバイスによって受信されたアップリンク許可にマッピングされる、論理チャネル（ＬＣ）情報を備える、請求項１の方法。
【請求項１２】
前記第２の構成情報は、前記第２のネットワークエンティティ上で構成されるベアラに対応し、かつ前記第２のネットワークエンティティによって動作させられるセルの前記第２のセットのコンポーネントキャリア上で前記ワイヤレスデバイスによって受信されるアップリンク許可にマッピングされる、ＬＣ情報を備える、請求項１の方法。
【請求項１３】
前記第１の構成情報は前記第１の１次セルのためのＳＲＳ情報を備え、前記第２の構成情報は前記第２の１次セルのためのＳＲＳ情報を備える、請求項１の方法。
【請求項１４】
ワイヤレス通信においてデータをアグリゲートするための装置であって、前記装置は、
ワイヤレスデバイスにおいて、第１のネットワークエンティティのセルの第１のセットの第１の１次セルを通じて前記第１のネットワークエンティティと通信するために第１の構成情報を受信するための手段と、
セルの第２のセット中のセルを第２の１次セルとして動作させるように第２のネットワークエンティティを構成するための手段と、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するための手段と、
前記ワイヤレスデバイスにおいて、第２のネットワークエンティティのセルの第２のセットの第２の１次セルを通じて前記第２のネットワークエンティティと通信するために第２の構成情報を受信するための手段と、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするための手段とを備える、装置。
【請求項１５】
実行されるときに、請求項１乃至１３のいずれかにしたがった方法を実施することをコンピュータに行わせるプログラムコードを備える、コンピュータ可読媒体を備える、コンピュータプログラム製品。